(57)【要約】【課題】夜間などであっても誘導の案内などが見易く、しかも装置本体の耐久性を向上させることができる交通誘導装置を提供する。【解決手段】本発明の交通誘導装置１は、路上に起立した姿勢で設置され、且つ交通規制を報知するための案内情報が記された工事用標示板２と、工事用標示板２の近傍に設けられたＬＥＤなどで構成される複数の誘導灯Ｌと、複数の誘導灯Ｌのうち、選択的に点灯させる誘導灯Ｌの点灯位置を変位させて行く方向によって、通行車両などを誘導すべき方向が視覚的に示されるように複数の誘導灯Ｌの点灯／消灯動作を制御するコントローラ３１及び点灯回路３３とを備える。【選択図】図１
2007002478.tif 000002
【特許請求の範囲】
【請求項１】
路上に起立した姿勢で設置され、交通規制を報知するための情報が記された工事用標示板と、
前記工事用標示板の近傍に設けられた複数の誘導灯と、
前記複数の誘導灯のうち、選択的に点灯させる誘導灯の点灯位置を変位させて行く方向によって誘導すべき方向が視覚的に示されるように前記複数の誘導灯の点灯／消灯動作を制御する誘導灯駆動制御部と、
を具備することを特徴とする交通誘導装置。
【請求項２】
前記複数の誘導灯は、前記工事用標示板の前面の所定の基準位置から当該工事用標示板のその板面に沿って放射状に延びる各々棒状に配置された複数の誘導灯群で構成され、
さらに、前記誘導灯駆動制御部は、前記各々棒状に配置される複数の誘導灯群のうち、選択的に点灯させる誘導灯群の点灯位置を、前記基準位置を中心とした回転方向に順次変位させて行くことを特徴とする請求項１記載の交通誘導装置。
【請求項３】
前記工事用標示板の前面の前記所定の基準位置に、頂点部分を対応させて取り付けられる扇形状の誘導灯保持板をさらに備え、
前記各々棒状に配置される複数の誘導灯群は、前記誘導灯保持板上に、前記頂点部分を基準として放射状に配置されていることを特徴とする請求項２記載の交通誘導装置。
【請求項４】
前記工事用標示板の任意の位置に前記誘導灯保持板を着脱自在に取り付けるクランプ機構をさらに具備することを特徴とする請求項３記載の交通誘導装置。
【請求項５】
前記クランプ機構は、前記誘導灯保持板のその縁部から離れた中央部分を前記工事用標示板に取り付け、且つ該誘導灯保持板をその板面に沿った方向に回動調整可能に取り付けることを特徴とする請求項４記載の交通誘導装置。
【発明の詳細な説明】
【技術分野】
【０００１】
本発明は、例えば路上の工事現場などにおいて通行車両や歩行者を誘導するための交通誘導装置に関する。
【背景技術】
【０００２】
従来、道路工事などを行う場合には、その工事の現場近くに交通整理員を配置して通行車両や歩行者を誘導し、工事作業者の安全性を確保するとともに、円滑な車両の通行などを図っていた。しかしながら、夜間などにおける無謀な運転車両の影響で交通整理員が危険にさらされることも多い。
【０００３】
このため、近年では、交通整理員に代えて、工事個所を車両の搭乗者に伝えるとともに、車線変更などの指示を与えることのできるロボット型の交通誘導装置などが適用される場合もある（例えば、特許文献１参照）。
【０００４】
この種の交通誘導装置は、ほぼ等身大の人型をしたロボットの片腕に例えば「工事中」などの文字や、「矢印」などの記号を明示した表示板を取り付けたり、また、他方の腕を左右に振らせることで、車線変更を指示するものなどが例示される。
【特許文献１】特開２００２−２４２１３１号公報
【発明の開示】
【発明が解決しようとする課題】
【０００５】
しかしながら、このような従来の装置では、上記した腕振り機構などの機械的な駆動部分を有することから、耐久性などの点で課題を抱えているとともに、また、夜間などにおいては、誘導の案内自体が視覚的に見難いなどといった課題を有する。
【０００６】
そこで本発明は、上記課題を解決するためになされたもので、夜間などであっても誘導の案内などが見易く、しかも装置本体の耐久性を向上させることができる交通誘導装置の提供を目的とする。
【課題を解決するための手段】
【０００７】
上記目的を達成するために、本発明に係る交通誘導装置は、路上に起立した姿勢で設置され、交通規制を報知するための情報が記された工事用標示板と、前記工事用標示板の近傍に設けられた複数の誘導灯と、前記複数の誘導灯のうち、選択的に点灯させる誘導灯の点灯位置を変位させて行く方向によって誘導すべき方向が視覚的に示されるように前記複数の誘導灯の点灯／消灯動作を制御する誘導灯駆動制御部と、を具備することを特徴とする。
【０００８】
本発明によれば、機械的な駆動機構を用いることなく、誘導灯の点灯位置の変位によって誘導方向を示すことができるので、交通誘導装置本体の耐久性を向上させることができる。また、本発明によれば、誘導灯の点灯制御により、誘導方向を示すことができるので、夜間などであっても誘導の案内などが見易く、視認性の向上を図ることができる。
【０００９】
また、本発明では、前記複数の誘導灯は、前記工事用標示板の前面の所定の基準位置から当該工事用標示板のその板面に沿って放射状に延びる各々棒状に配置された複数の誘導灯群で構成され、さらに、前記誘導灯駆動制御部は、前記各々棒状に配置される複数の誘導灯群のうち、選択的に点灯させる誘導灯群の点灯位置を、前記基準位置を中心とした回転方向に順次変位させて行くことを特徴とする。
【００１０】
さらに、本発明においては、前記工事用標示板の前面の前記所定の基準位置に、頂点部分を対応させて取り付けられる扇形状の誘導灯保持板をさらに備え、前記各々棒状に配置される複数の誘導灯群は、前記誘導灯保持板上に、前記頂点部分を基準として放射状に配置されていることを特徴とする。
【００１１】
また、本発明では、前記工事用標示板の任意の位置に前記誘導灯保持板を着脱自在に取り付けるクランプ機構をさらに具備することを特徴とする。
さらに、本発明では、前記クランプ機構は、前記誘導灯保持板のその縁部から離れた中央部分を前記工事用標示板に取り付け、且つ該誘導灯保持板をその板面に沿った方向に回動調整可能に取り付けることを特徴とする。
【００１２】
これらの発明によれば、工事用標示板に対する誘導灯保持板の取付位置や取付角度を容易に変更することが可能となる。また、これらの発明によれば、扇形状の誘導灯保持板の重心に近付く位置で、当該誘導灯保持板を保持できるので、工事用標示板に対して誘導灯保持板を強固に取り付けることができる。
【発明の効果】
【００１３】
このように本発明によれば、夜間などであっても誘導の案内などが見易く、しかも装置本体の耐久性を向上させることの可能な交通誘導装置を提供することができる。
【発明を実施するための最良の形態】
【００１４】
以下、本発明を実施するための最良の形態を図面に基づき説明する。
図１は、本発明の実施形態に係る交通誘導装置を示す正面図、図２はその側面図、図３はその平面図、図４は、図１の交通誘導装置を構成する工事用標示板に貼り付け可能な報知プレートを示す図である。また、図５ａ〜図５ｃは、図１の交通誘導装置を構成する複数の誘導灯において、誘導灯の点灯位置が変位して行く状態を示す図、図６は、図１の交通誘導装置の制御系を機能的に示すブロック図である。
【００１５】
図１〜図６に示すように、この実施形態に係る交通誘導装置１は、道路上の工事現場などにおいて通行車両や歩行者を誘導するための可搬型の装置である。
すなわち、交通誘導装置１は、路上に起立した姿勢で設置され、且つ交通規制を報知するための案内情報が記された工事用標示板２と、工事用標示板２の近傍に設けられた例えば赤色光を発光するＬＥＤなどの光源で構成される複数の誘導灯Ｌと、複数の誘導灯Ｌのうち、選択的に点灯させる誘導灯Ｌの点灯位置を変位させて行く方向によって、通行車両などを誘導すべき方向が視覚的に示されるように複数の誘導灯Ｌの点灯／消灯動作を制御する誘導灯駆動制御部としてのコントローラ３１及び点灯回路３３とを主に備えて構成される。
【００１６】
工事用標示板２は、図１〜図３に示すように、角パイプ３ａ、角パイプ３ｂで構成されるフレーム３によって支持されている。また、図２に示すように、角パイプ３ａ、３ｂの上部を連結するヒンジ機構３ｃを介し角パイプ３ｂの底部は、角パイプ３ａの底部に対して開閉自在に構成されており、この角パイプ３ｂの底部が開放された状態で、工事用標示板２は、路上に設置される。
【００１７】
また、図１に示すように、工事用標示板２上には、交通規制を報知するための案内情報として交通誘導員の模式図２ａや、通行車両や歩行者の誘導方向を示す矢印２ｂが記されている。ここで、例えば、図４に示すように、水道工事中を示す報知プレート２ｃや電気工事中を示す報知プレート２ｄを、上記交通誘導員の模式図２ａの上に貼り付けるかたちで工事用標示板２を構成してもよい。また、この場合、工事用標示板２を例えば鉄などの磁性体で構成し、さらに、報知プレート２ｃ、２ｄの少なくとも貼り付け面をマグネットなどで構成することで、報知プレート２ｃ、２ｄの貼り付け作業を容易に行うことができる。
【００１８】
さらに、交通誘導装置１は、図１に示すように、介在プレート１６を介して、工事用標示板２の前面の所定の基準位置１６ａに、頂点部分を対応させて取り付けられる扇形状の誘導灯保持板１８を備える。ここで、複数の誘導灯Ｌは、上記した基準位置１６ａから工事用標示板２上の板面に沿って放射状に延びる各々棒状（直線状）に配置された複数の誘導灯群２１、２２、２３、２４、２５、２６で構成される。つまり、各々棒状に配置される複数の誘導灯群２１、２２、２３、２４、２５、２６は、誘導灯保持板１８上に、その頂点部分を基準として放射状に配置されている。
【００１９】
また、本実施形態の交通誘導装置１は、図１〜図３及び図７に示すように、工事用標示板２の任意の位置に誘導灯保持板１８を着脱自在に取り付けるクランプ機構１２を備える。このクランプ機構１２は、誘導灯保持板１８上に穿孔された取付孔１５ａを介して角パイプ３ａ及び誘導灯保持板１８に各々固定された所定形状の折曲プレート１２ａにねじ１５などを締結することで、誘導灯保持板１８を工事用標示板２上に取り付けることができる。このクランプ機構１２を介しての取り付けは、誘導灯保持板１８上の取付孔１４を利用することもできる。
【００２０】
また、図１に示すように、上記のような取り付け構造を実現するクランプ機構１２では、誘導灯保持板１８のその縁部から離れた中央部分を工事用標示板２に取り付けることができ、しかも図１及び図７に示すように誘導灯保持板１８をその板面に沿った方向に回動調整可能に取り付けることができる。
【００２１】
つまり、このようなクランプ機構１２によれば、扇形状の誘導灯保持板１８の重心に近付く位置で、この誘導灯保持板１８を保持できるので、工事用標示板２に対して誘導灯保持板１８を強固に取り付けることができる。しかも、図１及び図７に示すように、工事用標示板２に対する誘導灯保持板１８の取付位置や取付角度を容易に変更することが可能なので、一台の交通誘導装置で、図１に示すように、道路上の右側への誘導指示及び図７に示すように、道路上の左側への誘導指示を行うことができる。
【００２２】
次に、複数の誘導灯Ｌの点灯／消灯動作の制御系についてその説明を行う。
図６に示すように、交通誘導装置１には、工事現場などにおいて作業する作業員が操作する設定スイッチ３２、並びに上記した誘導灯駆動制御部として機能するコントローラ３１及び点灯回路３３が設けられている。設定スイッチ３２を介して交通誘導装置１が稼動状態に設定されている場合には、点灯回路３３は、コントローラ３１の制御下で、それぞれ棒状に配置される誘導灯群２１、２２、２３、２４、２５、２６の単位で、複数の誘導灯Ｌの点灯／消灯動作を制御する。
【００２３】
すなわち、点灯回路３３は、図５〜図５ｃに示すように、各々棒状に配置される複数の誘導灯群２１、２２、２３、２４、２５、２６のうち、選択的に点灯させる誘導灯群の点灯位置を、前記基準位置１６ａを中心とした回転（旋回）方向Ｓ１に順次変位させて行く。詳細には、下方の誘導灯群２１から上方の誘導灯群２６まで点灯が進んだ後は、下方の誘導灯群２１に点灯が戻り、再びＳ１方向への点灯を繰り返す。つまり、選択的に点灯させる誘導灯群（誘導灯Ｌ）の点灯位置を変位させて行く方向によって、通行車両などを誘導すべき方向（図１では右／図７では左）が視覚的に示されることになる。詳述すると、路上の工事現場などにおいて、交通整理員が腕を動かして振るハンディタイプの誘導灯の移動軌跡を模した灯りの移動制御が、上記したコントローラ３１及び点灯回路３３による点灯制御より自動的に実現されることになる。
【００２４】
既述したように、この実施形態に係る交通誘導装置１によれば、機械的な駆動機構を用いることなく、誘導灯Ｌ（誘導灯群２１、２２、２３、２４、２５、２６）の点灯位置の変位によって誘導方向を示すことができるので、交通誘導装置本体の耐久性を向上させることができる。また、本実施形態に係る交通誘導装置１によれば、誘導灯Ｌの点灯制御により、誘導方向を示すことができるので、例えば夜間などであっても通行車両側からの誘導の案内などが見易く、視認性の向上を図ることができる。
【００２５】
以上、本発明を実施の形態により具体的に説明したが、本発明はこの実施形態にのみ限定されるものではなく、その要旨を逸脱しない範囲で種々変更可能である。例えば、上述した実施形態では、誘導灯群の点灯位置を変位させて行く方向が、主にＳ１方向であったが、これを上記した図７に示す交通誘導装置１の設置状態を考慮して、Ｓ１方向と異なるＳ２方向に点灯位置が変位して行くようにしてもよいし、さらには、点灯位置を変位させて行く時間間隔を調整可能にしてもよい。また、誘導灯Ｌを構成する光源の色を赤色のみならず、青色、黄色などの複数の色に可変できるようにしてもよい。さらに、上記した実施形態では、交通規制を報知するための情報として、交通誘導員の模式図２ａや誘導方向を示す矢印２ｂが予め記された専用の工事用標示板を適用する態様について例示したが、これに代えて、例えば、交通規制の報知情報が記されていない基材プレートと、この基材プレート上に用途に応じて貼り替え可能な交通規制の報知情報が記された貼替プレートとのツーピースで、工事用標示板に代わる部材を構成してもよい。この場合、基材プレートを例えば鉄などの磁性体で構成し、さらに、貼替プレートの少なくとも貼り付け面をマグネットなどで構成することで、プレートの貼り替え作業を容易に行うことができる。
【図面の簡単な説明】
【００２６】
【図１】本発明の実施形態に係る交通誘導装置を示す正面図。
【図２】図１に示す交通誘導装置の側面図。
【図３】図１に示す交通誘導装置の平面図。
【図４】図１の交通誘導装置を構成する工事用標示板に貼り付け可能な報知プレートを示す図。
【図５ａ】図１の交通誘導装置を構成する複数の誘導灯において、誘導灯の点灯位置が変位して行く状態を示す図。
【図５ｂ】図５ａよりも誘導灯群の点灯位置がさらに進んだ状態を示す図。
【図５ｃ】図５ｂよりも誘導灯群の点灯位置がさらに進んだ状態を示す図。
【図６】図１の交通誘導装置の制御系を機能的に示すブロック図
【図７】工事用標示板上の図１と異なる位置に誘導灯保持板が取り付けられた態様を示す正面図。
【符号の説明】
【００２７】
１…交通誘導装置、２…工事用標示板、２ｃ，２ｄ…報知プレート、１２…クランプ機構、１６ａ…基準位置、１８…誘導灯保持板、２１，２２，２３，２４，２５，２６…誘導灯群、３１…コントローラ、３３…点灯回路、Ｌ…誘導灯。
【図１】
2007002478.tif 000003
【図２】
2007002478.tif 000004
【図３】
2007002478.tif 000005
【図４】
2007002478.tif 000006
【図５ａ】
2007002478.tif 000007
【図５ｂ】
2007002478.tif 000008
【図５ｃ】
2007002478.tif 000009
【図６】
2007002478.tif 000010
【図７】
2007002478.tif 000011